(57)【要約】【課題】表示パネルのパネル受け部は、従来弾性部材を粘着材で外観カバーに貼り付ける構造であったため、外力が加わると剥がれやすく、また部品点数が増大していた。【解決手段】操作ボタンを構成する弾性部材の一部が、撮像装置本体よりも突出して露出する外観部と固定部とで形成されるパネル受け部であり、外観部は外観カバーに形成された穴に勘合して撮像装置本体より突出して表示部に当接し、固定部は外観カバーに形成された穴よりも大きく、外観カバーと外観カバーに固定された内部部品とで挟まれている。【選択図】図２
2016053666.tif 000002
【特許請求の範囲】
【請求項１】
画像を表示する表示部を本体に対して開閉可能に支持するヒンジ機構を有する撮像装置において、前記撮像装置は外観カバーに形成された穴に勘合して撮像装置本体より突出して表示部に当接する外観部を有する弾性部材を有し、前記弾性部材は外観部とつながる固定部を有し、固定部は外観カバーに形成された穴よりも大きく、外観カバーと外観カバーに固定された内部部品とで挟まれていることを特徴とする撮像装置。
【請求項２】
前記弾性部材近傍に操作ボタンが配設され、前記弾性部材は操作ボタンを構成する部品であることを特徴とする請求項１に記載の撮像装置。
【請求項３】
前記外観カバーに形成された穴の弾性部材の外観部と接する箇所の断面形状は、円弧形状を描いていることを特徴とする請求項１に記載の撮像装置。
【発明の詳細な説明】
【技術分野】
【０００１】
本発明は、開閉する表示パネルを有した撮像装置のパネル受け構造に関する。
【背景技術】
【０００２】
一般的に撮像装置には、撮像した画像を確認するための表示パネルが備えられている。表示パネルは、ヒンジ機構により本体に取り付けられ、本体に対して開閉したり回転したりすることで、ユーザーの見やすい角度に調節して画像確認をすることが可能となっている。
【０００３】
上記ヒンジ機構は、本体に対して第１の軸を中心に開閉可能な機構部分と、第１の回転軸と直交する第２の回転軸を中心に回転可能な機構部分とを有しており、表示パネルを使用しないときは、表示パネル面を汚れや衝撃から守るために、表示パネル面を本体側に向けて収納可能なようになっている（特許文献１参照）。表示パネルを収納する際は、本体に表示パネル面が当接するため、収納時の衝撃で表示パネルに割れを生じたり、表示画像に影響を及ぼしたりしないように、従来本体又は表示パネル側に弾性部材から成るパネル受け部が両面テープなどの粘着材によって本体に貼り付け配置され、パネル受け部が表示面よりも先に当接することで、表示パネル面に負荷がかからないようにしている。
【０００４】
また最近では、表示パネルにタッチパネルが用いられることも多くなり、ユーザーが撮像装置を操作する際に表示パネル面を指で押す動作も行われる。タッチパネルでの操作の際は、表示パネル面を押すことになるため、表示パネルの裏側を操作する指とは異なる指で支えたり、表示パネルの裏側に配置される本体で支えたりして、表示パネルの位置を安定させて操作できるようになっている。表示パネルの裏側に本体がある場合は、前述したように、弾性部材のパネル受け部によって衝撃を吸収する構造となっている。
【先行技術文献】
【特許文献】
【０００５】
【特許文献１】特開平９−９１０８号公報
【発明の概要】
【発明が解決しようとする課題】
【０００６】
しかしながら、上記従来例では、本体の操作部やその他機能を避けた限られたスペースに弾性部材から成るパネル受け部を配置しなければならず、また見栄えを損なわないために、パネル受け部の大きさはかなり小さくしなければならない。しかし、パネル受け部の大きさが小さいと本体への貼り付け面積も小さくなってしまい、ある程度の外力がかかるとパネル受け部の粘着材が剥がれて取れてしまうという問題があった。
【０００７】
また、操作部近辺にパネル受け部が配設されている場合も、指で操作部を操作しようとした際に誤ってパネル受け部に触れてしまうことがあり、その衝撃でパネル受け部が取れてしまうという問題があった。更に、パネル受け部は弾性部材から成るため、新たに部品点数を増加させなければならず、コストが増大するという問題もあった。
【０００８】
そこで、本発明の第１の目的は、外力で外れないパネル受け部を有する撮像装置を提供することである。また、本発明の第２の目的は、操作ボタンの構成部品と兼ねることでコストダウンをはかることである。また、本発明の第３の目的は、せん断方向の外力にも強いパネル受け部を有する撮像装置を提供することである。
【課題を解決するための手段】
【０００９】
上記の目的を達成するために、本発明は、画像を表示する表示部を本体に対して開閉可能に支持するヒンジ機構を有する撮像装置において、前記撮像装置は外観カバーに形成された穴に勘合して撮像装置本体より突出して表示部に当接する外観部を有する弾性部材を有し、前記弾性部材は外観部とつながる固定部を有し、固定部は外観カバーに形成された穴よりも大きく、外観カバーと外観カバーに固定された内部部品とで挟まれていることを特徴とする。
【００１０】
また、本発明の他の特徴とするところは、前記弾性部材の付近に操作ボタンが配設され、前記弾性部材は操作ボタンを構成する部品であることを特徴とする。
【００１１】
また、本発明の他の特徴とするところは、前記外観カバーに形成された穴の弾性部材の外観部と接する箇所の断面形状は、円弧形状を描いていることを特徴とする。
【発明の効果】
【００１２】
第１の発明によれば、パネル受け部が外観部と固定部とで構成され、固定部が内部部品によって固定されているため、外力が加わってもパネル受け部が外れない撮像装置を提供することが可能となる。また、第２の発明によれば、操作ボタンの構成部品とパネル受け部が繋がっているため、新たにパネル受け部として部品を構成する必要がなく、コストダウンが可能となる。また、第３の発明によれば、外観カバーに形成された穴のパネル受け部との接触部が、円弧形状であるため、パネル受け部にせん断方向の力が加わってもちぎれたり欠けたりすることがない。
【図面の簡単な説明】
【００１３】
【図１】本発明の実施の形態のビデオカメラの斜視図
【図２】本発明の実施の形態の要部構造を表す分解斜視図
【図３】本発明の実施の形態の外観カバーの説明図
【図４】本発明の実施の形態の弾性部材の説明図
【図５】本発明の実施の形態の操作ボタン類の説明図
【図６】本発明の実施の形態の操作ボタンと弾性部材の説明図
【図７】本発明の実施の形態のフレキシブル基板と固定板金の説明図
【図８】本発明の実施の形態の弾性部材の組み込み図
【図９】本発明の実施の形態のカバーユニットの説明図
【図１０】本発明の実施の形態のパネル受け部の断面図
【発明を実施するための形態】
【００１４】
以下に、本発明の実施の形態を好適な実施例に基づき、図面を用いて詳細に説明する。
【００１５】
図１に、本発明に係る実施の形態のビデオカメラの斜視図を示す。図１において、１００はビデオカメラ本体、２はビデオカメラ１００の電源ＯＮ／ＯＦＦを行う電源ダイアル、３はビデオカメラ１００によって撮像した画像やビデオカメラ１００の設定を確認するための回転式表示パネル、１はビデオカメラ１００の各種設定を行う操作ボタン類を配設したカバーユニット、２１２、２１３は表示パネル３が２７０度回転して開状態にある時のパネル受け部、３０１、３０２、・・・３１１はユーザーが押圧操作してビデオカメラ１００の各種操作を行う操作ボタンである。
【００１６】
図２はカバーユニット１の本発明に係る要部構造を表す分解斜視図である。図２において、１０は外観カバー、２１、２２、２３は操作ボタン類３０（操作ボタン３０１〜３１１）を一体に組み込み弾性変形可能な材質からなる弾性部材、４０は各電気スイッチが実装されたフレキシブル回路基板、５０はフレキシブル回路基板４０を固定し操作ボタン類３０と弾性部材２１、２２、２３を挟んで外観カバー１０に固定する固定板金である。
【００１７】
次に、図３〜図７を用いて、カバーユニット１を構成する各部材の詳細構造を説明する。図３は外観カバー１０の詳細を説明する図であり、図３（ａ）は外観カバー１０を図１の矢印Ａ方向から見た正面図、図３（ｂ）は外観カバー１０を裏面（ビデオカメラ１００の内側から見た面）から見た斜視図である。
【００１８】
図３（ａ）に示すように、外観カバー１０には操作ボタン類３０を配置するための穴１０１〜１１１が形成されており、また各操作ボタンに割りつけられる機能を示す文字が、各穴１０１〜１１１の周辺の外観カバー１０上に印刷されている。例えば、穴１０１に配置される操作ボタン３０１の機能は、フォーカス調整時に表示パネル３の画像を拡大してフォーカス位置を確認しやすくするための「ＭＡＧＮ．（拡大）」ボタンであり、穴１０２に配置される操作ボタン３０２の機能は、撮影や再生に関する設定内容や状態を表示パネル３上に表示して確認するための「ＳＴＡＴＵＳ（ステータス）」ボタンである。このように、操作ボタン類３０にはそれぞれ機能が割りつけられている。また外観カバー１０には、パネル受け部２１２、２１３が配置されるための穴１１２、１１３が形成されている。
【００１９】
図３（ｂ）に示すように、外観カバー１０の裏面には弾性部材２１、２２、２３が配置されるためのスペースがあり、１１４は後述する弾性部材２１の誤組防止リブの収納部、１０ａ、１０ｂ、１０ｃ、１０ｄは弾性部材２１の位置決めリブ、１０ｅは弾性部材２３の位置決めリブである。
【００２０】
図４は弾性部材２１、２２、２３の詳細を説明する図であり、図４（ａ）は弾性部材２１、２２、２３を図１の矢印Ａ方向から見た正面図、図４（ｂ）は図３（ｂ）と同様の面視の斜視図である。
【００２１】
図４（ａ）に示すように、弾性部材２１は操作ボタン３０１〜３０８を一体に組み込み弾性変形して電気スイッチ４０１〜４０８を押圧する各機能部２０１、２０２、・・・２０８、外観カバー１０に組み込む際に位置決めリブ１０ａ、１０ｂ、１０ｃ、１０ｄに位置決めするための穴２１ａ、２１ｂ、２１ｃ、２１ｄ、パネル受け部２１２、２１３、外観カバー１０への誤組防止リブ２１４が形成されている。弾性部材２２は操作ボタン３０９を一体に組み込み弾性変形して電気スイッチ４０９を押圧する機能部２０９が形成されている。弾性部材２３は、操作ボタン３１０、３１１を一体に組み込み弾性変形して電気スイッチ４１０、４１１を押圧する機能部２１０、２１１、外観カバー１０に組み込む際に位置決めリブ１０ｅに位置決めするための穴２３ｅが形成されている。
【００２２】
各機能部２０１〜２１１は、外周を保持部２０１ｂ〜２１１ｂに囲まれており、保持部２０１ｂ〜２１１ｂは円弧形状の一部に凸部２０１ｂ１〜２１１ｂ１が設けられた形状をしており、各操作ボタン３０１〜３１１の外形形状をオフセットしたような形状である。
【００２３】
図４（ｂ）に示すように、各機能部の裏面中心には、電気スイッチ４０１〜４１１を押圧するための押し子２０１ｃ〜２１１ｃが形成されており、各押し子２０１ｃ〜２１１ｃの反対面には、図４（ａ）に示すように押し子と同じ軸中心で操作ボタン３０１〜３１１に勘合する勘合凸部２０１ａ〜２１１ａが形成されている。
【００２４】
図５は操作ボタン類３０の詳細を説明する図であり、図５（ａ）は操作ボタン類を図１の矢印Ａ方向から見た正面図、図５（ｂ）は図５（ａ）の背面図である。
【００２５】
図５（ａ）、図５（ｂ）に示すように、操作ボタン３０１〜３１１は、外観カバー１０に形成された穴１０１〜１１１から突出して外観側に配置される、それぞれ形状の異なる外観部３０１ａ〜３１１ａと、操作ボタン３０１〜３１１が穴１０１〜１１１から外に落ちないためのフランジ部３０１ｂ〜３１１ｂからなり、フランジ部３０１ｂ〜３１１ｂは外観部３０１ａ〜３１１ａよりもひとまわり大きい円弧形状で、その一部に凸部３０１ｂ１〜３１１ｂ１が形成されている。
【００２６】
上記凸部３０１ｂ１〜３１１ｂ１には、操作ボタン３０１〜３１１を成形するためのサイドゲートが配置されるため、凸部より更に突出してゲート残りが発生する。弾性部材２１、２２、２３の保持部２０１ｂ〜２１１ｂの突部２０１ｂ１〜２１１ｂ１は、上記ゲート残り分も逃げるように大きく突出した形状となっている。操作ボタン３０１、３０３、３０５、３０７、３０９、３１０、３１１の外観部３０１ａ、３０３ａ、３０５ａ、３０７ａ、３０９ａ、３１０ａ、３１１ａ上には、８〜１４の数字が印刷されているが、各操作ボタンの機能を示す数字である。
【００２７】
また、操作ボタン３０１〜３１１の背面側には、凹部３０１ｃ〜３１１ｃが形成され、弾性部材２１、２２、２３の勘合凸部２０１ａ〜２１１ａの形状に対応した形状となり、各操作ボタン毎にその形状は異なる。操作ボタン３０２、３０４、３０６、３０８の背面には、凹文字で１〜４の数字が形成されている。
【００２８】
図６に弾性部材２２と操作ボタン３０９の拡大図を示す。図６（ａ）は、弾性部材２２と操作ボタン３０９の組み込み前の斜視図、図６（ｂ）は弾性部材２２に操作ボタン３０９を組み込んだ状態のＢ−Ｂ断面図である。
【００２９】
図６（ａ）に示すように、弾性部材２２の勘合凸部２０９ａには切り欠き部２０９ａ１、２０９ａ２、２０９ａ３が形成され、操作部の凹部３０９ｃ側にはリブ部３０９ｃ１、３０９ｃ２、２０９ｃ３が形成されており、２０９ａ１〜２０９ａ３の間隔と３０９ｃ１〜３０９ｃ３の間隔は同一となっている。操作ボタン３０９を弾性部材２２に組み込む際には、操作ボタン３０９の凸部３０９ｂ１の向きを弾性部材２２の突部２０９ｂ１に合わせるようにして組み込むと、切り欠き２０９ａ１〜２０９ａ３がリブ部３０９ｃ１〜３０９ｃ３に勘合し操作ボタン３０９が弾性部材２２に対して回転しないよう位置決めされる。また、操作ボタン３０９の凹部３０９ｃには、弾性部材２２の勘合凸部２０９ａの径よりも小さい径に接する位置に凸形状３０９ｃ４、３０９ｃ５、３０９ｃ６が形成されており、操作ボタン３０９を組み込んだ際に弾性部材２２に圧入するように組み込まれる。
【００３０】
弾性部材２２の切り欠き部２０９ａ１〜２０９ａ３の溝幅は、リブ部３０９ｃ１〜３０９ｃ３のリブ幅よりも若干大きく設定され、またリブ部３０９ｃ１〜３０９ｃ３の先端は呼び込み形状となっているため、組立て作業者がスムーズに組めるようになっているが、組み込み後は、凸形状３０９ｃ４〜３０９ｃ６によって圧入されているため、弾性部材２２に対して操作ボタン３０９が容易に外れることはない。
【００３１】
図６（ｂ）に示すように、弾性部材２２の勘合凸部２０９ａと保持部２０９ｂの間は薄肉部２０９ｄで繋がっており、操作ボタン３０９の凹部３０９ｃに設けられた当接面３０９ｃ０と、弾性部材２２の勘合凸部２０９ａの上面２０９ａ０が当接して、操作ボタン３０９の上下方向の位置が決まる。その他の操作ボタンにおいても同様に、対応する弾性部材の機能部に勘合するよう切り欠きとリブ部が形成されているため、操作ボタンのフランジの凸部の向きを弾性部材の円弧形状の凸部に合うように組み込むと、対応しない操作ボタンは組み込めないようになっている。例えば、図４（ａ）に示すように、弾性部材２１の機能部２０１、２０２に形成された勘合凸部２０１ａと２０２ａは突部２０１ｂ１、２０２ｂ１に対する切り欠き形状の角度が異なり、図５（ｂ）に示すように、操作ボタン３０１、３０２の背面に形成された３０１ｃ、３０２ｃのリブ形状の角度はそれぞれ２０１ａ、２０２ａの切り欠き形状に対応した角度となっている。
【００３２】
組立て作業者は、各操作ボタン類３０を組み込む際には、外観側に印字されている８〜１４、又は背面側に形成されている１〜４の数字を見て、弾性部材２１、２２、２３に組み込むが、もし組み込む操作ボタンを間違えたとしても、弾性部材に勘合しないようになっているため、間違って組み込むことはない。
【００３３】
図７はフレキシブル回路基板４０と固定板金５０の詳細を説明する図であり、図７（ａ）はフレキシブル回路基板４０を図１の矢印Ａ方向から見た正面図、図７（ｂ）は固定板金５０を図１の矢印Ａ方向から見た正面図である。
【００３４】
図７（ａ）に示すように、フレキシブル回路基板４０上に電気スイッチ４０１、４０２、・・・４１１が実装され、固定板金５０に位置決めするための位置決め穴４０ａ、４０ｂ、４０ｃ、４０ｄ、４０ｅ、固定板金５０にねじで固定するための固定用穴４１、４２、４３、４４、４５、４６が形成されている。
【００３５】
図７（ｂ）に示すように、固定板金５０はフレキシブル回路基板４０を位置決めするための位置決め用ボス５０ａ、５０ｂ、５０ｃ、５０ｄ、５０ｅ、フレキシブル回路基板４０をねじで固定するためのバーリング５１、５２、５３、５４、５５、５６が形成されている。また、弾性部材２１に形成されたパネル受け部２１２、２１３を外観カバー１０側に押圧して固定する押圧部５１２、５１３が形成されている。図２に示すように、フレキシブル回路基板４０を固定板金５０上に重ね、各位置決め穴４０ａ〜４０ｅを固定板金５０の位置決め用ボス５０ａ〜５０ｅに嵌め合わせ、固定用穴４１〜４６を固定板金５０のバーリング５１〜５６にねじ６１〜６６を用いて固定する。
【００３６】
次に、図８、図９を用いて外観カバー１０への組み込みと動作について説明する。図８は、操作ボタン類３０が組み込まれた弾性部材２１、２２、２３を、外観カバー１０に組み込んだ状態の、外観カバー１０を裏面（ビデオカメラ１００の内側から見た面）から見た図を示す。
【００３７】
弾性部材２１の位置決め穴２１ａ〜２１ｄが、外観カバー１０の位置決めリブ１０ａ〜１０ｄに勘合し、弾性部材２３の位置決め穴２３ｅが外観カバー１０の位置決めリブ１０ｅに勘合している。弾性部材２２は、機能部２０９の保持部２０９ｂに接するように、外観カバー１０上に形成されたリブ１０９ａによって位置決めされている。弾性部材２１、２３においても、外観カバー１０に位置決めされているが、各機能部２０１〜２０８、２１０、２１１の保持部２０１ｂ〜２０８ｂ、２１０ｂ、２１１ｂに接するように外観カバー上にリブが形成されている。
【００３８】
組立て作業者は、弾性部材２１を組み込む際は、誤組防止リブ２１４を外観カバー１０に形成された誤組防止リブ収納部１１４に合わせて組み込み、各位置決め部１０ａ〜１０ｄに位置決め穴２１ａ〜２１ｄを嵌めこむようにして組み立てる。弾性部材２２は、外観カバー１０のリブ１０９ａに外形を合わせるようにして組み立てる。弾性部材２３は、位置決め部１０ｅに位置決め穴２３ｅを嵌めこむようにして組み立てる。このようにして、操作ボタン３０１〜３１１は、外観カバー１０に対して回転することなく位置決めされる。
【００３９】
図９は、図８の組み込み状態にフレキシブル回路基板４０を固定板金５０にねじ固定したものを組み込んだ状態であり、図９（ａ）は外観カバー１０を裏面（ビデオカメラ１００の内側から見た面）から見た図、図９（ｂ）は図９（ａ）のＣ−Ｃ断面図である。なお、ここでは操作ボタン３０９についてのみ説明するが、その他の操作ボタン３０１〜３０８、３１０〜３１１についても同様の構成であるため、説明を省略する。
【００４０】
図９（ｂ）に示すように、外観カバー１０の穴１０９から操作ボタン３０９の外観部３０９ａが突出し、フランジ部３０９ｂによって操作ボタン３０９は外観側に飛び出さないよう規制されている。操作ボタン３０９の凹部３０９ｃの当接面３０９ｃ０と、弾性部材２２の勘合凸部２０９ａの上面２０９ａ０が当接して一体となっており、勘合凸部２０９ａの反対側には押し子２０９ｃが電気スイッチ４０９に対向する位置に形成されている。弾性部材２２の保持部２０９ｂは、固定板金５０によって固定されたフレキシブル回路基板４０と、外観カバー１０に形成されたリブ１０９ｂとの間に挟まれ、図９（ｂ）上の上下方向に移動できないよう配置されている。外観カバー１０のリブ１０９ｂは、弾性部材２２の保持部２０９ｂの全周に密着しているため、操作ボタン３０９と外観カバー１０の穴１０９の隙間から雨水などが侵入してきても、弾性部材２２によって堰き止められ、それ以上内部に侵入することはない。
【００４１】
ここで、ユーザーによって操作ボタン３０９が押圧されると、操作ボタン３０９は弾性部材２２の勘合凸部２０９ａを押し、弾性部材２２の薄肉部２０９ｄが変形して押し子２０９ｃが電気スイッチ４０９を押圧する。この時、押し子２０９ｃが弾性部材から成るため、押し子が潰れる分ストロークが増えることになり、ユーザーが感じるクリック感が増幅される。また、操作ボタン３０９のフランジ部３０９ｂと弾性部材２２の薄肉部２０９ｄは、一定の隙間Ｄが設けられている。この隙間Ｄは、例えば操作ボタン３０９がユーザーによって斜めに押圧された時に、押し子２０９ｃが電気スイッチ４０９を押圧するよりも先に、フランジ部３０９ｂが薄肉部２０９ｄを押圧して電気スイッチ４０９を押せなくなることを防いでいる。つまり、隙間Ｄは押し子２０９ｃが電気スイッチ４０９を押圧するために必要なストローク分の量となる。
【００４２】
次に、図１０を用いて、パネル受け部２１２、２１３の構造と動作について説明する。図１０（ａ）は、図９（ａ）のＥ−Ｅ断面であり、表示パネル３が２７０度回転した状態のパネル受け部２１２、２１３の断面図を示し、図１０（ｂ）は図１０（ａ）のパネル受け部２１２の拡大図を示す。
【００４３】
パネル受け部２１２、２１３は図４に示すように弾性部材２１の一部であり、外観に突出する先端部２１２ａ、２１３ａと固定部２１２ｂ、２１３ｂとで形成されている。先端部２１２ａ、２１３ａは、外観カバー１０に設けられた穴１１２、１１３に圧入されながら外観カバー１０よりも一定量突出するように配置され、表示パネル３に外力Ｆの力がかかった時に表示パネル３を先端部２１２ａ、２１３ａで受けて衝撃を吸収すると共に、表示パネル３の表示面に過大な力がかからないようにする。固定部２１２ｂ、２１３ｂは、外観カバー１０の内面と固定板金５０に形成された押圧部５１２、５１３との間に挟まれて固定されており、先端部２１２ａ、２１３ａに力がかかる際にはパネル受け部２１２、２１３で外力を吸収しながら押圧部５１２、５１３で受ける構造となっている。表示パネル３が２７０度回転していない状態では、先端部２１２ａ、２１３ａは外観から一番突出した面となるため、例えばビデオカメラ１００をユーザーが落としてしまった時などは、先端部２１２ａ、２１３ａが最初に地面に当たるため、衝撃を軽減する構造となっている。
【００４４】
また図１０（ｂ）に示すように、パネル受け部２１２の先端部２１２ａに接する外観カバー１０の穴１１２の先端１１２ｃは丸みを帯びた形状をしており、例えば指で先端部２１２ａを横から押すなどせん断方向の力が働いても、先端１１２ｃがせん断方向の力を吸収するため、先端部２１２ａがちぎれたり欠けたりしにくくなっている。なお先端部２１３ａも、先端部２１２ａと同様の構造をしているため、説明は省略する。
【００４５】
以上説明したように、本発明によれば、複数の操作ボタンを有する撮像装置において、作業者による誤組がなく組立てやすい操作ボタン構造を提供することが可能となる。また、本発明によれば、防塵防滴で快適な操作性を持つ操作ボタンを提供することができる。また、本発明によれば、表示パネルを回転した際のパネルにかかる外力を軽減することができると共に、先端部を不用意に触ったり外力を加えたりしても、撮像装置内部で固定されているため簡単に取れることはなく、せん断方向の外力が加わってもちぎれたり欠けたりすることがない。また、撮像装置を不用意に落下してしまった際の衝撃を軽減することができる。また、操作ボタンよりも先端部が突出しているため、表示パネルで誤って操作ボタンを押してしまうことがない。
【００４６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、本実施例の中では、操作ボタンの機能や操作ボタン表面の印刷についても述べてきたが、これに限られるものではなく、例えば操作ボタンの外観側に印刷表示がなくてもよく、複数の操作ボタンの形状が異なるなど、混合してはいけないものであればよい。また、本実施例の中では、弾性部材と操作ボタンの勘合部の形状を、角度の異なるリブ形状としているが、本発明はこれに限られるものではなく、形状の異なるもので複数の操作ボタンを誤って組むことができない形状であればよい。
【符号の説明】
【００４７】
１  カバーユニット、２  電源ダイヤル、３  表示パネル、１０  外観カバー、
２１，２２，２３  弾性部材、３０  操作ボタン類、４０  フレキシブル回路基板、
５０  固定板金、１００  ビデオカメラ本体、２１２，２１３  パネル受け部
【図１】
2016053666.tif 000003
【図２】
2016053666.tif 000004
【図３】
2016053666.tif 000005
【図４】
2016053666.tif 000006
【図５】
2016053666.tif 000007
【図６】
2016053666.tif 000008
【図７】
2016053666.tif 000009
【図８】
2016053666.tif 000010
【図９】
2016053666.tif 000011
【図１０】
2016053666.tif 000012